(57)【要約】【課題】簡単な構成でカビや雑菌を防止し、コストを削減できる手乾燥装置を提供する。【解決手段】筐体５に凹設して手が挿入される手挿入部１０と、高圧気流を発生させる高圧気流発生部２と、高圧気流発生部２により発生した高圧気流が流通するとともに手挿入部１０に臨む噴出口６ａ、６ｂを開口する送風ダクト４と、手挿入部１０の底部に開口する排水口２３ａを介して手挿入部１０に連通するとともに噴出口６ａ、６ｂから噴出した高圧気流によって手から吹き飛ばされる水滴を回収する排水タンク８と、排水タンク８内にイオンを放出するイオン発生装置２２とを備えた。【選択図】図１
2011147520.tif 000002
【特許請求の範囲】
【請求項１】
筐体に凹設して手が挿入される手挿入部と、高圧気流を発生させる高圧気流発生部と、前記高圧気流発生部により発生した高圧気流が流通するとともに前記手挿入部に臨む噴出口を開口する送風ダクトと、前記手挿入部の底部に開口する排水口を介して前記手挿入部に連通するとともに前記噴出口から噴出した高圧気流によって手から吹き飛ばされる水滴を回収する排水タンクと、前記排水タンク内にイオンを放出するイオン発生装置とを備えたことを特徴とする手乾燥装置。
【請求項２】
水平に対して傾斜した複数の板状部材を所定間隔で前記排水口に配したことを特徴とする請求項１に記載の手乾燥装置。
【請求項３】
前記手挿入部の前部に配される前記板状部材は後方が下がるように傾斜し、前記手挿入部の後部に配される前記板状部材は後方が上がるように傾斜することを特徴とする請求項２に記載の手乾燥装置。
【請求項４】
前記手挿入部に挿入された手を検知する手検知センサを備え、前記手挿入部に手が挿入された際に前記高圧気流発生部及び前記イオン発生装置を駆動するとともに、前記手挿入部から手が退避した際に前記高圧気流発生部を停止して前記イオン発生装置を所定時間駆動した後に停止することを特徴とする請求項１〜請求項３のいずれかに記載の手乾燥装置。
【請求項５】
前記手挿入部に挿入された手を検知する手検知センサを備え、前記手挿入部に手が挿入された際に前記高圧気流発生部及び前記イオン発生装置を駆動するとともに、前記手挿入部から手が退避した際に前記高圧気流発生部を停止し、前記イオン発生装置を所定時間間隔で間欠運転したことを特徴とする請求項１〜請求項３のいずれかに記載の手乾燥装置。
【請求項６】
前記イオン発生装置を更に前記送風ダクトに設け、前記送風ダクト内にイオンを放出したことを特徴とする請求項１〜請求項５のいずれかに記載の手乾燥装置。
【請求項７】
前記イオン発生装置によってＨ+（Ｈ2Ｏ）ｍ（ｍは任意の自然数）から成るプラスイオンと、Ｏ2-（Ｈ2Ｏ）ｎ（ｎは０または任意の自然数）から成るマイナスイオンとを主として発生することを特徴とする請求項１〜請求項６のいずれかに記載の手乾燥装置。
【発明の詳細な説明】
【技術分野】
【０００１】
本発明は、洗浄後の濡れた手を乾燥させる手乾燥装置に関する。
【背景技術】
【０００２】
従来の手乾燥装置は特許文献１に開示されている。この手乾燥装置は使用者の手を挿入する手挿入部が筐体の上部に凹設される。手挿入部の上部には送風ファンによって前後から高圧気流を噴出する噴出口が設けられ、底面には排水口が開口する。筐体の下部には排水口を介して手挿入部に連通する排水タンクが設けられる。
【０００３】
手挿入部に洗浄後の濡れた手を挿入すると送風ファンが駆動され、噴出口から高圧気流が噴出される。手に付着した水滴は高圧気流によって吹き飛ばされ、排水口を介して排水タンクに回収される。これにより、使用者の手を乾燥させることができる。
【０００４】
手から吹き飛ばされた水滴には脂肪分等の有機物が含まれる。このため、上記の手乾燥装置によると水滴が付着する手挿入部や排水タンクには有機物を分解するカビや雑菌が繁殖して不衛生になる。このため、洗浄後の手を却って汚染する問題や周囲に菌や悪臭を撒き散らす問題がある。
【０００５】
上記の問題を解決するために、特許文献２には手挿入部を洗浄する手乾燥装置が開示される。この手乾燥装置は手挿入部に洗浄液及び消毒液をそれぞれ供給する洗浄液供給手段及び消毒液供給手段が設けられる。送風ファンの駆動により使用者の手に付着した水滴が吹き飛ばされる、手挿入部から手を退避して再度挿入するとアルコール等の消毒液が手挿入部に供給される。これにより、使用者の手が消毒される。
【０００６】
消毒が終了して手挿入部から手を退避すると手挿入部に洗浄液が供給され、手挿入部の壁面を洗浄液が流下する。これにより、手挿入部の壁面が洗浄され、カビや雑菌の繁殖を防止することができる。
【０００７】
また、特許文献３には手挿入部にオゾンを放出するオゾン発生装置を設けた手乾燥装置が開示される。この手乾燥装置は水滴が吹き飛ばされた手を手挿入部から退避すると、送風ファンを停止して手挿入部にオゾンが放出される。これにより、手挿入部内にオゾンが充満し、カビや雑菌の繁殖を防止することができる。
【先行技術文献】
【特許文献】
【０００８】
【特許文献１】特開２００２−３４８４４号公報（第２頁−第５頁、第２図）
【特許文献２】特許第３６３００１３号公報（第２頁−第８頁、第２図）
【特許文献３】実登第３１４１３９４号公報（第３頁−第１３頁、第２図）
【発明の概要】
【発明が解決しようとする課題】
【０００９】
しかしながら、上記特許文献２に開示された手乾燥装置によると、洗浄液供給手段を構成するためにタンク、ポンプ、ダクト等を気流路とは別に設ける必要がある。このため、構造が複雑になり、手乾燥装置のコストが高くなる問題があった。
【００１０】
また、上記特許文献３に開示された手乾燥装置によると、オゾンの臭気によって使用者の不快感を招く問題がある。加えて、手乾燥装置に用いられる樹脂部品がオゾンによる酸化によって劣化し、亀裂等が発生する。このため、手挿入部や送風ダクトに耐オゾン性の樹脂を用いる必要があり、手乾燥装置のコストが高くなる問題があった。
【００１１】
本発明は、簡単な構成でカビや雑菌を防止し、コストを削減できる手乾燥装置を提供することを目的とする。
【課題を解決するための手段】
【００１２】
上記目的を達成するために本発明は、筐体に凹設して手が挿入される手挿入部と、高圧気流を発生させる高圧気流発生部と、前記高圧気流発生部により発生した高圧気流が流通するとともに前記手挿入部に臨む噴出口を開口する送風ダクトと、前記手挿入部の底部に開口する排水口を介して前記手挿入部に連通するとともに前記噴出口から噴出した高圧気流によって手から吹き飛ばされる水滴を回収する排水タンクと、前記排水タンク内にイオンを放出するイオン発生装置とを備えたことを特徴としている。
【００１３】
この構成によると、使用者の洗浄後の濡れた手を手挿入部に挿入すると高圧気流発生部により発生した高圧気流が送風ダクトを流通して噴出口から噴出される。噴出口から噴出した気流によって手に付着した水滴が吹き飛ばされ、排水口を介して排水タンクに回収される。排水タンク内にはイオン発生装置からイオンが放出され、イオンによってカビや雑菌の発生が防止される。また、排水口を介して排水タンクから手挿入部にイオンが拡散し、手挿入部の壁面のカビや雑菌の発生が防止される。
【００１４】
また本発明は、上記構成の手乾燥装置において、水平に対して傾斜した複数の板状部材を所定間隔で前記排水口に配したことを特徴としている。この構成によると、排水口は傾斜した複数の板状部材が並設され、平面視した際の開口面積が小さく形成される。これにより、手挿入部に噴出する高圧気流は板状部材によって排水タンクへの流入が抑制され、高圧気流によるイオンの手挿入部の外側への流出や排水タンクの貯水の手挿入部内への飛散が低減される。また、板状部材間に形成される通路の断面積が広く確保され、高圧気流の停止時等に排水タンクに放出されるイオンが該通路を介して手挿入部に拡散される。
【００１５】
また本発明は、上記構成の手乾燥装置において、前記手挿入部の前部に配される前記板状部材は後方が下がるように傾斜し、前記手挿入部の後部に配される前記板状部材は後方が上がるように傾斜することを特徴としている。この構成によると、手挿入部に噴出される高圧気流は手に衝突し、下方に向かう速度成分と手挿入部の手に対向した内壁に向かう速度成分とを有する。手挿入部の前部に配される板状部材は後方が下がるように傾斜するため、手の前面に衝突して下降する気流と板状部材との交差角度が直角に近くなる。また、手挿入部の後部に配される板状部材は後方が上がるように傾斜するため、手の背面に衝突して下降する気流と板状部材との交差角度が直角に近くなる。これにより、高圧気流の排水タンクへの流入が更に抑制される。
【００１６】
また本発明は、上記構成の手乾燥装置において、前記手挿入部に挿入された手を検知する手検知センサを備え、前記手挿入部に手が挿入された際に前記高圧気流発生部及び前記イオン発生装置を駆動するとともに、前記手挿入部から手が退避した際に前記高圧気流発生部を停止して前記イオン発生装置を所定時間駆動した後に停止することを特徴としている。
【００１７】
この構成によると、手挿入部に手を挿入すると、手検知センサの検知によって高圧気流発生部及びイオン発生装置が駆動される。手挿入部から手を退避させると、手検知センサの検知によって高圧気流発生部が停止されるとともにイオン発生装置の駆動が継続される。
【００１８】
また本発明は、上記構成の手乾燥装置において、前記手挿入部に挿入された手を検知する手検知センサを備え、前記手挿入部に手が挿入された際に前記高圧気流発生部及び前記イオン発生装置を駆動するとともに、前記手挿入部から手が退避した際に前記高圧気流発生部を停止し、前記イオン発生装置を所定時間間隔で間欠運転したことを特徴としている。
【００１９】
この構成によると、手挿入部に手を挿入すると、手検知センサの検知によって高圧気流発生部及びイオン発生装置が駆動される。手挿入部から手を退避させると、手検知センサの検知によって高圧気流発生部が停止されるとともにイオン発生装置が間欠運転される。
【００２０】
また本発明は、上記構成の手乾燥装置において、前記イオン発生装置を更に前記送風ダクトに設け、前記送風ダクト内にイオンを放出したことを特徴としている。この構成によると、イオン発生装置により発生したイオンが排水タンク内及び送風ダクト内に放出される。送風ダクトを流通する気流にはイオンが含まれ、噴出口から噴出される。噴出口から噴出された高圧気流によって使用者の手に付着した水滴が吹き飛ばされるとともに手の表面がイオンにより除菌される。
【００２１】
また本発明は、上記構成の手乾燥装置において、前記イオン発生装置によってＨ+（Ｈ2Ｏ）ｍ（ｍは任意の自然数）から成るプラスイオンと、Ｏ2-（Ｈ2Ｏ）ｎ（ｎは０または任意の自然数）から成るマイナスイオンとを主として発生することを特徴としている。
【発明の効果】
【００２２】
本発明によると、排水タンクにイオンを放出するイオン発生装置を設けたので、簡単な構成で排水タンク内のカビや雑菌を防止できるとともに、排水口を介して拡散するイオンによって手挿入部のカビや雑菌を防止することができる。また、耐オゾン性を必要としない樹脂部品を用いて送風ダクトや手挿入部を形成することができる。従って、低コストで衛生的な手乾燥装置を実現することができる。
【図面の簡単な説明】
【００２３】
【図１】本発明の第１実施形態の手乾燥装置を示す側面断面図
【図２】本発明の第１実施形態の手乾燥装置を示す上面図
【図３】本発明の第１実施形態の手乾燥装置のイオン発生装置を示す平面図
【図４】本発明の第１実施形態の手乾燥装置の構成を示すブロック図
【図５】本発明の第１実施形態の手乾燥装置の要部を示す側面断面図
【図６】本発明の第２実施形態の手乾燥装置を示す側面断面図
【発明を実施するための形態】
【００２４】
以下に本発明の実施形態を図面を参照して説明する。図１、図２は第１実施形態の手乾燥装置を示す側面断面図及び上面図である。図１において、左側が前面側であり、右側が背面側である。手乾燥装置１は外装を形成する樹脂成形品の筐体５を備えている。筐体５の上部には上面を開口した手挿入部１０が凹設される。手挿入部１０には上方から使用者の洗浄後の濡れた手が挿入される。手挿入部１０の壁面には手挿入部１０に挿入される手を検知する手検知センサ９が設けられる。
【００２５】
手挿入部１０の下方には仕切板２３を介して隣接する排水タンク８が配される。排水タンク８は把手部８ａを把持して筐体５の前面から着脱自在になっている。仕切板２３は排水口２３ａを開口し、排水口２３ａを介して手挿入部１０と排水タンク８とが連通する。これにより、手挿入部１０に挿入された手から剥離した水滴が排水口２３ａを介して排水タンク８に回収される。
【００２６】
排水口２３ａには左右方向に延びる複数の板状部材２４が前後方向に並設される。前部の板状部材２４は水平に対して後方が下がるように傾斜し、後部の板状部材は２４は水平に対して後方が上がるように傾斜する。
【００２７】
仕切板２３の排水口２３ａよりも外側の下面には排水タンク８にイオンを放出するイオン発生装置２２が取り付けられる。仕切板２３によってイオン発生装置２２の上面が覆われるため、排水口２３ａから滴下する水滴がイオン発生装置２２に付着することを防止できる。
【００２８】
図３はイオン発生装置２２の平面図を示している。イオン発生装置２２は二つのイオン発生部２２１、２２２を保持体２２３により保持する。保持体２２３の内部にはイオン発生部２２１、２２２に電圧を供給する給電部（不図示）が設けられる。給電部からイオン発生部２２１、２２２に電圧を供給することによってイオン発生部２２１、２２２がイオンを発生する。
【００２９】
イオン発生部２２１、２２２は針状を成す放電電極２２１ａ、２２２ａと、放電電極２２１ａ、２２２ａを囲繞する誘導電極環２２１ｂ，２２２ｂとを有している。放電電極２２１ａ、２２２ａはそれぞれ誘導電極環２２１ｂ、２２２ｂの中心部に配される。以下に説明するように、一方のイオン発生部２２１が正イオンを発生し、他方のイオン発生部２２２が負イオンを発生するように構成されている。イオン発生部２２１、２２２から発生するイオンの極性を所定時間毎に切り換えてもよい。
【００３０】
一方のイオン発生部２２１には正電圧が印加され、放電によるプラズマ領域で空気中の水分子が電気的に分解して主として水素イオンＨ+が生成される。そして、生成された水素イオンの周りに空気中の水分子が凝集し、正のクラスターイオンＨ+（Ｈ2Ｏ）mが形成される。ここで、ｍは任意の自然数である。
【００３１】
他方のイオン発生部２２２には負電圧が印加され、放電によるプラズマ領域で空気中の酸素分子が電気的に分解して主として酸素イオンＯ2-が生成される。そして、生成された酸素イオンの周りに空気中の水分子が凝集し、負のクラスターイオンＯ2-（Ｈ2Ｏ）nが形成される。ここで、ｎは０または任意の自然数である。以下、「正イオン」というときは正のクラスターイオンを意味し、「負イオン」というときは負のクラスターイオンを意味するものとする。尚、正負のクラスターイオンの生成は飛行時間分解型質量分析法により確認することができる。
【００３２】
正イオン及び負イオンは同時に空気中に放出されると、菌やカビ等の微生物や臭い成分の表面で凝集してこれらを取り囲む。そして、式（１）〜（３）に示すように、瞬間的に正イオンと負イオンが結合して酸化力の非常に高い活性種である［・ＯＨ］（水酸基ラジカル）やＨ2Ｏ2（過酸化水素）を微生物等の表面上で生成する。この化学反応により微生物の表面のタンパク質や臭い成分を分解してその働きを抑制する。ここで、ｍ’は任意の自然数であり、ｎ’は０または任意の自然数である。
【００３３】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３４】
従って、正イオン及び負イオンを発生して排水タンク８に放出することにより、排水タンク８の雑菌やカビを防止して除菌できるとともに臭い除去を行うことができる。尚、排水タンク８にイオンを放出するイオン発生装置２２の個数や配置については必要とするイオン濃度に応じて適宜選択・変更することが可能である。例えば、イオン発生装置２２を２つ以上設けてもよい。
【００３５】
前述の図１、２において、筐体５内の下部にはモータ２ａにより羽根車２ｂを回転駆動する送風ファン２が配される。送風ファン２は筐体５の底面に吸気口１１を開口した送風ダクト４内に設置される。また、送風ダクト４内には送風ファン４の排気側に加熱ヒータ２１が配される。
【００３６】
送風ダクト４は送風ファン２の排気側で水平に延びる水平部４ａを有し、水平部４ａから前面部４ｂ及び背面部４ｃに分岐する。前面部４ｂは水平部４ａの前端から手挿入部１０の前面に沿って鉛直に配される。背面部４ｃは水平部４ａの後端から手挿入部１０の背面に沿って鉛直に配される。
【００３７】
前面部４ｂ及び背面部４ｃの上部には手挿入部１０に臨む噴出口６ａ、６ｂがそれぞれ設けられる。噴出口６ａ、６ｂは左右方向に線状に細長く延びて開口するノズル形状に形成される。これにより、手挿入部１０に水平に並べて挿入される両手の幅全体に空気を吹きつけることが可能になっている。噴出口６ａ、６ｂを左右方向に並設される複数の小孔により形成してもよい。
【００３８】
送風ファン２の駆動により発生した高圧気流が送風ダクト４内を流通し、噴出口６ａ、６ｂから手挿入部１０に噴出される。従って、送風ファン２は手挿入部１０に噴出される高圧気流を発生する高圧気流発生部を構成する。
【００３９】
図４は手乾燥装置１の構成を示すブロック図である。手乾燥装置１は各部を制御する制御部１２を備えている。制御部１２は内部に計時装置１３を備え、電源スイッチ１６、手検知センサ９、間欠運転設定部１７、風量調節部１４、表示部１８、送風ファン２、イオン発生装置２２、加熱ヒータ２１が接続される。
【００４０】
計時装置１３は送風ファン２やイオン発生装置２２の停止後の経過時間を計時するとともに、イオン発生装置２２の駆動開始後の経過時間を計時する。電源スイッチ１６は筐体５の表面に設けられ、手乾燥装置１の電源をオンオフする。間欠運転設定部１７は筐体５の表面に設けられ、送風ファン２の停止時にイオン発生装置２２を間欠運転する間隔の設定操作を行う。
【００４１】
風量調節部１４は送風ファン２のモータ２ａの出力を制御する。これにより、送風ファン２から発生する動作音を低減し、使用者に対する不快感を軽減することができる。表示部１８は筐体５に設けられた液晶パネル等から成り、手乾燥装置１の動作状態や設定画面を表示する。
【００４２】
上記構成の手乾燥装置１において、使用者の洗浄後の濡れた手が手挿入部１０に挿入されると、手検知センサ９によって使用者の手が検知される。これにより、送風ファン２、加熱ヒータ２１及びイオン発生装置２２が駆動される。送風ファン２の駆動によって室内の空気が吸気口１１から送風ダクト４に流入し、高圧気流が発生する。
【００４３】
吸気口１１から送風ダクト４に流入した空気は加熱ヒータ２１により昇温される。加熱ヒータ２１により昇温された高圧気流は送風ダクト４の水平部４ａから矢印Ａ１、Ａ３に示すように前面部４ｂ及び背面部４ｃに分岐して流通する。そして、前面部４ｂ及び背面部４ｃを流通する高圧気流は矢印Ａ２、Ａ４に示すように噴出口６ａ、６ｂから手挿入部１０に噴出される。
【００４４】
噴出口６ａ、６ｂから手挿入部１０に噴出された高圧気流は前後から使用者の手に衝突する。これにより、手に付着した水滴が吹き飛ばされ、使用者の手を乾燥させることができる。また、加熱ヒータ２１によって高圧気流が昇温されるため、手の乾燥能力をより向上させることができる。手から剥離した水滴は板状部材２４を伝って排水口２３ａから滴下し、排水タンク８に回収される。
【００４５】
また、イオン発生装置２２の駆動によって排水タンク８内に正イオン及び負イオンが放出される。これにより、排水タンク８内はイオンによってカビや雑菌の発生が防止され、除菌される。また、一部のイオンは排水口２３ａを介して手挿入部１０に流入する。これにより、手挿入部１０のカビや雑菌の発生が防止される。
【００４６】
尚、イオン発生装置２２により手挿入部１０に向かってイオンを放出すると、高圧気流によって手挿入部１０の外側に大量のイオンが容易に流出する。このため、排水タンク８内にイオンを放出することにより、イオンの流出が排水タンク８から手挿入部１０に流入した一部だけに抑制される。
【００４７】
また、図５の要部詳細図に示すように、板状部材２４は水平に対して傾斜するため、平面視した際の開口面積が小さく形成される。このため、手挿入部１０に噴出される高圧気流は板状部材２４によって排水タンク８への流入が抑制される。これにより、高圧気流が排水タンク８の中の空気を掻き乱すことなく、手挿入部１０内を循環して手乾燥装置１の外へ放出される。従って、高圧気流によるイオンの手挿入部１０の外側への流出や、排水タンク８の貯水の手挿入部１０内への飛散が低減される。
【００４８】
また、手に衝突して手挿入部１０の底部に向かって下降する高圧空気流は図５の矢印Ａ５に示すように、下方に向かう速度成分と手挿入部１０の手に対向した内壁に向かう速度成分とを有する。手挿入部１０の前部に配される板状部材２４は後方が下がるように傾斜するため、手の前面（手の平）に衝突して下降する気流と板状部材２４との交差角度が直角に近くなる。また、手挿入部１０の後部に配される板状部材２４は後方が上がるように傾斜するため、手の背面（手の甲）に衝突して下降する気流と板状部材２４との交差角度が直角に近くなる。これにより、高圧気流の排水タンク８への流入を更に抑制することができる。
【００４９】
使用者の手が手挿入部から退避すると、手検知センサ９の検知によって送風ファン２及び加熱ヒータ２１が停止される。また、イオン発生装置２２は送風ファン２の停止後、計時装置１３の計時によって所定時間（例えば、１時間）だけ駆動されて停止される。これにより、隣接する板状部材２４間を通って排水タンク８から手挿入部１０にイオンが拡散し、手挿入部１０の壁面のカビや雑菌の発生が防止される。送風ファン２及び加熱ヒータ２１の停止によって消費電力の低減及び送風ファン２の動作音を防止できるとともに、手挿入部１０にイオンを容易に供給することができる。
【００５０】
また、送風ファン２が停止された状態で間欠運転設定部１７の設定に基づき、イオン発生装置２２が間欠運転される。イオン発生装置２２は間欠運転によって例えば、１時間の駆動と６時間の停止とが繰り返される。これにより、定期的に排水タンク８及び手挿入部１０の除菌を行い、手乾燥装置１を常に清潔な状態に維持することができる。該間欠運転において送風ファン２を停止させたままでイオン発生装置２２を駆動させるので、消費電力が低減されるとともに、動作音を発生させることがない。手乾燥装置１の使用環境等により、間欠運転の時間は間欠運転設定部１７により任意に設定することができる。
【００５１】
本実施形態によると、排水タンク８にイオンを放出するイオン発生装置２２を設けたので、簡単な構成で排水タンク８内のカビや雑菌を防止できるとともに、排水口２３ａを介して拡散するイオンによって手挿入部１０のカビや雑菌を防止することができる。また、耐オゾン性を必要としない樹脂部品を用いて送風ダクト４や手挿入部１０を形成することができる。従って、低コストで衛生的な手乾燥装置１を実現することができる。
【００５２】
また、水平に対して傾斜した複数の板状部材２４を所定間隔で排水口２３ａに配したので、手挿入部１０に噴出する高圧気流は板状部材２４によって排水タンク８への流入が抑制される。従って、高圧気流によるイオンの流出や排水タンク８の貯水の飛散を低減することができる。また、板状部材２４間に形成される通路の断面積が広く確保され、高圧気流の停止時に該通路を介して容易にイオンを手挿入部１０に供給することができる。
【００５３】
また、手挿入部１０の前部に配される板状部材２４は後方が下がるように傾斜し、手挿入部１０の後部に配される板状部材２４は後方が上がるように傾斜するので、手に衝突して下降する気流と板状部材２４との交差角度が直角に近くなる。従って、高圧気流の排水タンク８への流入を更に抑制することができる。
【００５４】
また、手検知センサ９の検知により手挿入部１０に手を挿入した際に送風ファン２及びイオン発生装置２２を駆動し、手挿入部１０から手を退避した際に送風ファン２を停止してイオン発生装置２２を所定時間駆動するので、低消費電力で騒音の発生を抑制し、手挿入部１０に容易にイオンを供給して手挿入部１０を清潔な状態に維持することができる。
【００５５】
また、手挿入部１０から手を退避した際に送風ファン２を停止してイオン発生装置２２を間欠運転するので、手乾燥装置１を常に清潔な状態に維持することができる。
【００５６】
次に、図６は第２実施形態の手乾燥装置１の側面断面図を示している。説明の便宜上、前述の図１〜図５に示す第１実施形態と同様の部分には同一の符号を付している。本実施形態はイオン発生装置２２を更に送風ダクト４内に設け、送風ダクト４内にイオンを放出している。その他の部分は第１実施形態と同様である。
【００５７】
イオン発生装置２２は仕切板２３の下面に取り付けられるとともに、送風ダクト４の前面部４ｂ及び背面部４ｃの壁面に取り付けられる。前面部４ｂ及び背面部４ｃの壁面にはイオン発生部２２１、２２２（図３参照）に対応する貫通孔（不図示）が設けられる。これにより、イオン発生部２２１、２２２から貫通孔を介して前面部４ｂ及び背面部４ｃ内にイオンが放出される。
【００５８】
使用者の洗浄後の濡れた手が手挿入部１０に挿入されると、手検知センサ９によって使用者の手が検知される。これにより、送風ファン２、加熱ヒータ２１及び各イオン発生装置２２が駆動される。送風ダクト４を流通する高圧気流にはイオン発生装置２２によって正イオン及び負イオンが含まれる。そして、イオンを含む高圧気流が噴出口６ａ、６ｂから手挿入部１０に噴出される。
【００５９】
これにより、手の乾燥が行われるとともに、手に付着した雑菌がイオンによって除去される。また、噴出口６ａ、６ｂから手の平と手の甲の両方の面に向かってイオンが噴出されるので、手を摺り合わせなくても手の全体に付着した雑菌を短時間に除去することができる。従って、上記特許文献２に開示されるように消毒液を手に供給するよりも簡易な構成で手の消毒を行うことができる。また、手の乾燥と消毒とを同時に手間なく短時間に行うことができる。
【００６０】
尚、送風ダクト４に設けるイオン発生装置２２の個数や配置については必要とするイオン濃度に応じて適宜選択・変更することが可能である。例えば、イオン発生装置２２を気流の流通方向に離隔して並べて２つ以上設けてもよい。
【００６１】
また、手乾燥装置１による手の乾燥中に、手を除菌するために必要な時間を表示部１８に表示してもよい。これにより、使用者に対して確実な除菌を促すことができる。この時、除菌に必要な時間をカウントダウンして表示してもよい。
【００６２】
本実施形態によると、第１実施形態と同様の効果を得ることができる。加えて、イオン発生装置２２によって送風ダクト４にイオンを放出するので、手挿入部１０に噴出される高圧気流にイオンが含まれ、手の乾燥とともに手に付着した雑菌が除去される。これにより、簡易な構成で、手の乾燥及び除菌を手間なく短時間に行うことができる。
【００６３】
第１、第２実施形態において、送風ダクト４や手挿入部１０を抗菌処理した樹脂ブロー成形品とし、さらにその表面を撥水処理してもよい。これにより、菌の増殖を抑制し、汚れにくく清潔な状態を維持可能な手乾燥装置１を得ることができる。また、手挿入部１０を筐体５の上面に開口しているが、前面に開口してもよい。この時、送風ファン２を手挿入部１０の上方に配置してもよい。
【産業上の利用可能性】
【００６４】
本発明によると、洗浄後の濡れた手を乾燥させる手乾燥装置に利用することができる。
【符号の説明】
【００６５】
１    手乾燥装置
２    送風ファン
４    送風ダクト
５    筐体
６ａ、６ｂ  噴出口
８    排水タンク
９    手検知センサ
１０    手挿入部
１１    吸気口
１２    制御部
１３    計時装置
１４    風量調節部
１６    電源スイッチ
１７    間欠運転設定部
１８    表示部
２１    加熱ヒータ
２２    イオン発生装置
２３    仕切板
２３ａ  排水口
２４    板状部材
【図１】
2011147520.tif 000003
【図２】
2011147520.tif 000004
【図３】
2011147520.tif 000005
【図４】
2011147520.tif 000006
【図５】
2011147520.tif 000007
【図６】
2011147520.tif 000008